(57)【要約】【課題】利用者の希望に応じて、収納棚を、洗剤などの物品を好適に載置して収納できる状態と、前記バスケットを衣類の取り出しが容易な状態で載置して収納できる状態とに変更自在とした収納ラックを提供すること。【解決手段】左右の縦支柱と、該左右の縦支柱間に差し渡されて取り付けられる棚部材とを備え、前記左右の縦支柱は、それぞれ前後２本の支柱部材からなり、前記棚部材は、水平状態又は任意の角度に前傾させた状態に変更自在とした。【選択図】  図１
2013188403.tif 000002
【特許請求の範囲】
【請求項１】
左右の縦支柱と、該左右の縦支柱間に差し渡されて取り付けられる棚部材とを備え、
前記左右の縦支柱は、それぞれ前後２本の支柱部材からなり、
前記棚部材は、水平状態又は任意の角度に前傾させた状態に変更自在となされたことを特徴とする収納ラック。
【請求項２】
棚部材は、左右の前側の支柱部材間に差し渡された横桟部材と左右の後側の支柱部材間に差し渡された横桟部材との上に載置されるようにして設けられたことを特徴とする請求項１に記載の収納ラック。
【請求項３】
左右の前側の支柱部材間に差し渡された横桟部材又は左右の後側の支柱部材間に差し渡された横桟部材の少なくともいずれか一方が、任意の高さ位置に移動可能となされ、これにより、棚部材が水平状態又は任意の角度に前傾させた状態に変更自在となされたことを特徴とする請求項２に記載の収納ラック。
【発明の詳細な説明】
【技術分野】
【０００１】
本発明は、様々な物品を収納する収納ラックに関するものであり、より詳しくは、例えば洗濯機の上部空間など、室内の上部空間に収納部を形成して物品を収納できるようにした収納ラックに関するものである。
【背景技術】
【０００２】
一般に、家庭用洗濯機の高さ寸法は１ｍ前後位のものであり、洗濯機の上方空間はいわゆるデッドスペースになりがちである。そのため、従来から、洗濯機の周囲に支柱を立設し、当該支柱に棚部材を取り付けて、洗濯機の上方空間に物品の収納スペースを形成した収納ラックが広く利用されている（例えば、下記特許文献１）。このような収納ラックを利用すれば、洗濯機周りで使用する洗剤や柔軟剤、その他小物などの物品を収納することができる。
【先行技術文献】
【特許文献】
【０００３】
【特許文献１】実開平３−６４５２３号公報
【特許文献２】実用新案登録第３０２８０３７号公報
【特許文献３】実用新案登録第３０８６６５８号公報
【発明の概要】
【発明が解決しようとする課題】
【０００４】
一方、洗濯機及び上記収納ラックは、浴室前や洗面台の近くに設置されることが多く、洗濯機の傍に、入浴の際に脱衣した衣類を一時的に入れるためのバスケット（いわゆる脱衣かご）を置いておくことがよくある。このバスケットは、浴室の入口付近ないし洗濯機周りの床面に置かれている場合が多く、このバスケットが浴室の入口付近や洗濯機周りのスペースの一部を占拠してしまって、浴室前の通路（廊下）の通行の邪魔になるという問題があった。
【０００５】
なお、このバスケットは、上記従来の収納ラックに形成された収納スペース（収納棚）に載置しておくことも可能なものである。しかしながら、通常この種のバスケットは上方に開口し且つ様々な衣類を一度に収容可能なようにある程度の深さ寸法を有するものであって、これを洗濯機の上方に位置する収納棚の上に載置した場合、衣類の出し入れをしづらい、という問題があった。
【０００６】
本発明は、上記のような問題点を克服するためになされたものであり、利用者の希望に応じて、収納棚を、洗剤などの物品を好適に載置して収納できる状態と、前記バスケットを衣類の取り出しが容易な状態で載置して収納できる状態とに変更自在とした収納ラックを提供することを目的とする。
【課題を解決するための手段】
【０００７】
上記の課題を解決するため、本発明に係る収納ラックは、左右の縦支柱と、該左右の縦支柱間に差し渡されて取り付けられる棚部材とを備え、前記左右の縦支柱は、それぞれ前後２本の支柱部材からなり、前記棚部材は、水平状態又は任意の角度に前傾させた状態に変更自在となされたことを特徴とする。
【０００８】
本発明に係る収納ラックによれば、洗剤、柔軟剤、その他小物等の物品を載置して収納するだけであれば、棚部材を水平状態として、その上に物品を収納するようにすればよく、また、脱衣した衣類を入れるバスケットを収納するときには、棚部材を任意の角度に前傾させ、衣類の出し入れを容易なものとすることができる。
【０００９】
本発明に係る収納ラックにおいて、棚部材は、左右の前側の支柱部材間に差し渡された横桟部材と左右の後側の支柱部材間に差し渡された横桟部材との上に載置されるようにして設けられるようにすることもできる。
【００１０】
また、本発明に係る収納ラックにおいて、左右の前側の支柱部材間に差し渡された横桟部材又は左右の後側の支柱部材間に差し渡された横桟部材の少なくともいずれか一方が、任意の高さ位置に移動可能となされ、これにより、棚部材が水平状態又は任意の角度に前傾させた状態に変更自在となされるようにしてもよい。
【発明の効果】
【００１１】
以上のとおり、本発明に係る収納ラックによれば、棚部材が水平状態又は任意の角度に前傾させた状態に変更自在となされているので、洗剤や柔軟剤、その他小物等の物品を載置して収納するときには、棚部材を水平状態として、その上に物品を収納するようにすることができ、また、脱衣した衣類を入れるバスケットを載置して収納するときには、棚部材を任意の角度に前傾させ、衣類の出し入れを容易なものとすることができる。それゆえ、利用者のニーズに応じて、洗濯機周りや浴室前の限られたスペースを有効に利用することが可能となる。
【図面の簡単な説明】
【００１２】
【図１】本発明に係る収納ラックの一実施形態を示す斜視図であり、当該収納ラックの使用状態図である。
【図２】図１に示した収納ラックの斜視図である。
【図３】図２に示した収納ラックの棚部材の配置を変えた状態を示す斜視図である。
【図４】図２に示した収納ラックの棚部材を示す斜視図である。
【図５】図２に示した収納ラックの正面図である。
【図６】図２に示した収納ラックの（ａ）は左側面図、（ｂ）は右側面図である。
【図７】（ａ）は図６におけるＸの範囲の拡大図であって、手前の縦支柱を除いた説明図、（ｂ）は同じく図６におけるＹの範囲の拡大図であって、手前の縦支柱を除いた説明図である。
【図８】図２に示した収納ラックの背面図である。
【図９】図２に示した収納ラックの（ａ）は平面図、（ｂ）は底面図である。
【図１０】図３に示した収納ラックの正面図である。
【図１１】図３に示した収納ラックの背面図である。
【発明を実施するための形態】
【００１３】
以下、本発明を実施するための形態を、図面に基づいて詳細に説明する。
【００１４】
図１〜１１は、本発明に係る収納ラック１の一実施形態を示すものであり、図１は、タオルＴやバスケット（脱衣かご）Ｂなどを収納した使用状態を示す斜視図である。この図１に示すように、本実施形態における収納ラック１は、洗濯機設置場所に設置されるものであって、洗濯機Ｗの左右にそれぞれ縦支柱２を立設すると共に、当該支柱２、２間に棚部材を差し渡すようにして、これにより洗濯機Ｗの上方空間に収納棚部３、４を形成しているものである。
【００１５】
図１に示した使用状態における収納ラック１では、上下に２段の収納棚部３、４が形成され、上段の収納棚部３には複数のタオルＴが、下段の収納棚部４には脱衣した衣類などを入れるバスケットＢが載置されている。また、左右の側面には複数のフック部３６、６６が設けられ、当該フック部３６、６６にブラシＣやカゴＫなどの小物が吊るされている。更に、縦支柱２の上端部から前方に突出して設けられた物掛け部５には、衣類Ｓを掛けたハンガーＨが吊るされている。このように、本実施形態における収納ラック１は、洗濯機周りで必要な様々な物品を好適に収納することが可能なものである。
【００１６】
図２は、図１における収納ラック１のみを示した図である。図１及び図２に示すように、この実施形態における収納ラック１は、左右に縦支柱２を備えている。左右の縦支柱２は、いずれも前側の支柱部材２１と、当該前側の支柱部材２１の後方に所定間隔を空けて配された後側の支柱部材２２とを備えている。後側の支柱部材２２は、その下端部が床面に設置されるようにして立設される。一方、前側の支柱部材２１は、その下端部においてジョイント部材８１を介して略倒「Ｌ」字状の前脚部２３に接続されており（図６を更に参照）、当該前脚部２３を介して後側の支柱部材２２に接続され、また床面に接地するようになされている（より詳しくは、前側支柱部材２１の下端部はジョイント部材８１を介して前脚部２３の中間部に接続され、前脚部２３は、その一端部が後側の支柱部材２２に接続されると共に、他端部が床面に接地するようになされている）。
【００１７】
更に、前側の支柱部材２１と後側の支柱部材２２とは、それぞれの中間高さにおいて中間連結具６によって互いに連結され、また、それぞれの上端部近傍において、後述する上段の収納棚部３の側端部材３１によって互いに連結されている。以上の構成により、前側の支柱部材２１と後側の支柱部材２２とが、歪みなく略平行に配されてしっかりと接続される。
【００１８】
また、前側の支柱部材２１と後側の支柱部材２２とは、それぞれ伸縮自在となされ、高さ調節が可能なものである。各支柱部材２１、２２は、ステンレス材で表面を被覆したスチール製の管状部材で形成された下側支柱部材２１１、２２１と、同じくステンレス材で表面を被覆したスチール製の管状部材で形成され、下側支柱部材２１１、２２１の内径よりも僅かに小さい外径を有する上側支柱部材２１２、２２２とからなる。この上側支柱部材２１２、２２２を下側支柱部材２１１、２２１内に挿入すると共に任意の位置で互いにネジ留めして固定可能することにより、各支柱部材２１、２２が形成され、いずれも高さ調節が可能なものとなされている。
【００１９】
この点をより詳細に説明すると、この実施形態においては、前側の下側支柱部材２１１の上端部と後側の下側支柱部材２２１の上端部とが、中間連結具６によって連結されている。この中間連結具６は、合成樹脂材料で成形されたものであって、前側の支柱部材２１および後側の支柱部材２２をそれぞれ挿通可能な挿通孔６１、６２が形成されており（図３参照）、前側の下側支柱部材２１１及び後側の下側支柱部材２２１の上端部に嵌着されている。これによって、中間連結具６は、前側の下側支柱部材２１１の上端部と後側の下側支柱部材２２１の上端部との間に略水平に差し渡されるようにして取り付けられている。そして、上側の支柱部材２１２、２２２は、それぞれ中間連結具６に形成された挿通孔６１、６２及び下側支柱部材２１１、２２１内に挿入され、任意の高さ位置まで挿入された状態で下側の支柱部材２１１、２２１に対してネジ部材６３でネジ留めされ、こうして支柱部材２１、２２の高さ寸法を任意に調節可能としている。
【００２０】
尚、中間連結具６の側壁面には、複数のフック部６６が設けられており、このフック部６６に様々な物品を吊るして収納することができる。
【００２１】
また、後側の支柱部材２２の下端面、及び前脚部２３の下端面（前端における床面への接地面）には、それぞれ高さを調節可能とするアジャスター２５が設けられており（図２参照）、これにより各支柱部材２１、２２が鉛直に安定して立設される。
【００２２】
尚、上記各支柱部材２１、２２は、この実施形態においては、ステンレス材で表面を被覆したスチール製の管状部材としているが、これに限られない。ステンレス製であってもよいし、表面を合成樹脂材料で被覆した鋼管を用いてもよく、あるいはそれら以外の任意の材料を適宜選択して用いるようにしてもよい。また、形状においても、この実施形態においては円筒形状としているが、これに限られるものではなく、例えば断面形状が四角形の角筒としてもよいし、それ以外の任意の形状としてもよい。
【００２３】
縦支柱２の上端部近くには、左右の縦支柱２、２間に差し渡すようにして上段の収納棚部３が設けられている。この上段収納棚部３は、左右の側端部材３１と、該側端部材３１、３１間に差し渡して設けられた複数の棚パイプ部材３２とにより構成されている。この側端部材３１は合成樹脂材料によって成形されたものであって前後方向に長く、また上下方向に貫通して前後の支柱部材２１２、２２２を挿通可能な支柱嵌挿孔３１１、３１２が形成されている（図２参照）。また、当該側端部材３１の内側側壁面には、棚パイプ部材３２の端部を嵌入可能なパイプ嵌入孔３１３が形成されている（図３参照）。複数の棚パイプ部材３２の両端部をそれぞれ左右２つの側端部材３１のパイプ嵌入孔３１３に嵌入して固定すると、当該複数の棚パイプ部材３２は収納ラック１の前後方向に所定間隔を空けて平行に配されることとなり、複数の棚パイプ部材３２の上面にタオルその他の物品を載置可能な上段収納棚部３が形成される。当該上段収納棚部３は、その支柱嵌挿孔３１１、３１２に支柱部材２１２、２２２を挿通させた上で、任意の高さ位置においてネジ部材３５でネジ留めされることにより支柱部材２１２、２２２に固定される。尚、側端部材３１の側壁面には、複数のフック部３６が設けられており（図３参照）、当該フック部３６に様々な物品を吊るして収納することが可能である。
【００２４】
上段収納棚部３の各棚パイプ部材３２は、いずれも伸縮自在となされている。この実施形態においては、棚パイプ部材３２は、ステンレス製の管状部材で形成され、図２に示すように、やや外径の大きい外パイプ部材３２１と、外パイプ部材３２１の内径よりも僅かに小さい外径を有する内パイプ部材３２２とからなるものであって、内パイプ部材３２２が外パイプ部材内３２１に摺動自在に挿入されて、これにより伸縮自在となされている。
【００２５】
左右の前側の支柱部材２１には、その上端部から上方へ延び、更に中間部で屈曲してそこから斜め前方へ延びる一対のアーム部５１、５１と、当該左右のアーム部５１、５１の先端部近傍同士を接続する第一の物掛け杆５２と、左右のアーム部５１、５１の中間部同士を接続する第二の物掛け杆５３とを備えた物掛け部５が設けられている（図２参照）。この物掛け部５は、支柱部材２１、２２と同様、ステンレス材で表面を被覆したスチール製パイプ部材により形成され、前側の支柱部材２１の上端部に対して着脱自在となされている。この物掛け部５を備えることにより、例えば図１に示すように、洗濯機Ｗで洗濯した衣類ＳをハンガーＨに掛け、これを物掛け部５に一時的に吊るしておくことができる。あるいは、例えば、この物掛け部５にカーテンを吊るすようにすると、収納棚部３、４を覆う目隠しになる。
【００２６】
尚、当該物掛け部５の第一の物掛け杆５２及び第二の物掛け杆５３は、いずれも上述した上段収納棚部３の各棚パイプ部材３２と同様、伸縮自在となされている。
【００２７】
次に、下段の収納棚部４について説明する。下段の収納棚部４は、図２及び図３に示すように、左右の支柱部材間に差し渡された前後２本の横桟部材４１、４２と、当該２本の横桟部材４１、４２に載置されるようにして配された棚部材７とにより形成される。各横桟部材４１、４２は、ステンレス材で表面を被覆したスチール製管状部材からなり、両端部に固着された可動ジョイント部材４３を介し支柱部材２１、２２に取り付けられている。また、横桟部材４１、４２は、いずれも上述した上段収納棚部３の各棚パイプ部材３２と同様、伸縮自在となされている。
【００２８】
図２、図３等に示すように、前側の横桟部材４１は前側の支柱部材２１、２１（２１２、２１２）間に差し渡され、後側の横桟部材４２は後側の支柱部材２２、２２（２２２、２２２）間に差し渡されている。可動ジョイント部材４３は、合成樹脂材料で成形されたものであって、上下方向に開口して支柱部材２１２、２２２を挿通させることが可能な円柱形状の支柱挿通孔４３１が形成されている。また、可動ジョイント部材４３の外側の周側壁面には、周側壁面から支柱挿通孔４３１内へ貫通し、ネジ部材４４を螺合可能なネジ孔（図示せず）が形成されている。
【００２９】
以上の構成により、横桟部材４１、４２を左右の支柱部材間に差し渡すようにして、可動ジョイント部材４３内に支柱部材２１２、２２２を挿通させ、横桟部材４１、４２を所望の高さに保持した状態で、可動ジョイント部材４３のネジ孔にネジ部材４４を螺合して、横桟部材４１及び横桟部材４２をそれぞれ支柱部材２１（２１２）及び支柱部材２２（２２２）に対して固定することができる。このとき、前側の横桟部材４１及び後側の横桟部材４２は、それぞれ別個独立して任意の高さ位置に固定することが可能である。図１、図２、図５〜６及び図８に示した実施形態では、前側の横桟部材４１と比べ、後側の横桟部材４２の方が高い位置に保持されて固定されているが、図３及び図１０〜１１に示すように、前側の横桟部材４１及び後側の横桟部材４２を同じ高さ位置に固定することもできる。
【００３０】
上述のようにして固定された２本の横桟部材４１、４２上に棚部材７が載置されて配され、図１〜図３に示すように、下段収納棚部４が形成される。図１及び図２に示した状態のときは、上述したように前側の横桟部材４１よりも後側の横桟部材４２の方が高い位置に保持されて固定されているため、棚部材７はその上面が前傾した状態で配されている。一方、図３では、前側の横桟部材４１及び後側の横桟部材４２が同じ高さ位置に固定されており、それゆえ棚部材７はその上面が略水平状態となるように配される。
【００３１】
この実施形態における棚部材７は、図４の斜視図に示したものであり、金属製の線材の表面を合成樹脂材料で被覆した線材を縦横に交差させて形成した平面視略矩形状のメッシュ状の載置棚部７１を備えている。このメッシュ状の載置棚部７１の前端部及び側端部の一部には、当該前端部及び側端部から上方へ立ち上がる周縁壁部７２が形成されており、これによって当該メッシュ状の載置棚部７１の上に載置した物品が容易に収納ラックの前方又は側方へ落ちることがないようになされている。
【００３２】
また、載置棚部７１の下面かつ前端部寄りの位置には、２つの滑動規制片７３が下方へ突設されている。この２つの滑動規制片７３は、収納ラック１の前後方向に所定間隔を空けて、左右方向に平行して延びるように設けられている。この実施形態における各滑動規制片７３は、メッシュ状の載置棚部７１と同様、合成樹脂材料で被覆した金属製の線材により形成されており、図５に示すように、正面視で矩形上に下方へ突出した突出片となされている。また、２つの滑動規制片７３は、図７（ａ）に示すように、その側面視において下方に開放した「コ」字状となされている。
【００３３】
以上のような構成を備えることで、棚部材７を横桟部材４１、４２上に載置するときには、図６（ｂ）及び図７（ａ）に示すように２つの滑動規制片７３の間に横桟部材４１が配されるようにして載置すると、当該２つの滑動規制片４３により、棚部材７の前後方向の動きが規制される。それゆえ、棚部材７が図２に示すように前傾して配される場合でも、棚部材７が前方へ滑り落ちることがない。
【００３４】
この２つの滑動規制片７３の間の間隔は、前側の横桟部材４１の外径とほぼ同じか、それよりも大きい寸法であればよい。すなわち、これを横桟部材４１の外径とほぼ同じとし、棚部材７を横桟部材４１上に載置した際に２つの滑動規制片７３が横桟部材４１を前後方向から挟持するようにして、棚部材７が収納ラック１の前後方向に全く動かないようにしてもよいし、あるいは２つの滑動規制片７３の間の間隔を横桟部材４１の外径よりも大きくして、棚部材７を横桟部材４１上に載置した際に、棚部材７が前後方向に多少動くことができるようにしてもよい。
【００３５】
また、棚部材７の後側端部には、棚部材７の後端部側が上方に跳ね上がって横桟部材４２から落ちることがないように、抜け止め手段が備えられている。当該抜け止め手段は、図２〜４及び図７（ｂ）等に示すように、棚部材７の後端部近傍から後方かつ下方へ、かつ側面視略半円弧を描くようにして延び、更にその先端部が前方方向に直線的に延びて、側面視略倒「Ｕ」字状に突設された抜け止め部７５を備えるものである。
【００３６】
この抜け止め部（「Ｕ」字状部）７５は、図１０及び図１１の側面図に示した状態、すなわち棚部材７の上面が水平となるように配された状態においては、「Ｕ」字の内側の底部と後側の横桟部材４２との間に隙間が生じるようになされており、その分だけ「Ｕ」字状部（Ｕ字の底部）７５が後方へ突出するようになされている。この点、図２に示すように棚部材７を前傾した状態とする場合は、棚部材７を水平状態とした場合よりも、前側の横桟部材４１と後側の横桟部材４２との間の距離が長くなる。そのため、棚部材７を水平状態とする場合はもちろん、所定角度まで前傾させた場合でも抜け止め部７５の「Ｕ」字状部内に後側の横桟部材４２が配されるよう、「Ｕ」字状部の後端部を後方へ長く延ばしている（図７（ｂ）参照）。これによって、棚部材７を水平状態にした場合でも、或いは前傾状態にした場合でも、後側の横桟部材４２がＵ字状部７５内に配されるので、何かの弾みで棚部材７の後端部側が上方に跳ね上がって横桟部材４２から脱落するという恐れがないものとなっている。
【００３７】
尚、上述した滑動規制片７３及び抜け止め手段７５は、上記の形態、形状に限られない。同様の機能を果たす範囲であれば、その形態や形状を任意に変更できるものである。また、載置棚部７１は上記したメッシュ棚状のものに限られない。例えば板材で形成されてもよく、合成樹脂製のトレイなどであってもよい。
【００３８】
以上のような構成により、下側の棚部材７を、図１、図２に示したような前傾状態、あるいは図３に示したような水平状態に設けることができる。そうして、棚部材７を前傾状態とすれば、図１に示すように、脱衣した衣類を一時的に入れておくためのバスケット（脱衣かご）Ｂを前方へ傾いた状態で棚部材７上に載置して保持することができる。その場合、バスケットＢの上方開口部が前方に傾いた状態となるので、衣類の出し入れが非常に容易となる。また、図３に示したような水平状態とすれば、上段の収納棚部３と同様に、下段の収納棚部４にもタオルや洗剤、その他洗濯機周りで必要な小物などを載置して収納することができる。
【００３９】
尚、上述したとおり、棚部材７を支持する横桟部材４１、４２は、いずれも支柱部材２１、２２に対してネジ留めされたものであって、必要に応じてその高さ位置を変更することができ、また、前側の横桟部材４１と後側の横桟部材４２はそれぞれ別個独立して高さ位置を変更できるので、棚部材７の前傾角度を所望の角度に調節することが可能である。したがって、洗濯機Ｗの高さ寸法に応じて、あるいは下側の収納棚部４に載置して収納する物品の大きさに応じて、収納棚部４の高さ位置を変更可能である。また、下側収納棚部４に載置するバスケットの大きさや形状に応じて、或いはこれを使用する人の背の高さなどに応じて棚部材７の前傾角度を調節することができる。
【００４０】
さらに、この実施形態においては、左右の後側の下側支柱部材２１１、２２１間には、筋交い杆９が正面視で斜めに差し渡されて配されている。当該筋交い杆９の両端部には合成樹脂製のジョイント部材９１が固着されており、当該ジョイント部材９１を介してそれぞれ左右の下側支柱部材２１１、２２１に取り付けられている。このジョイント部材９１は、いずれも上下方向に貫通する貫通孔９１１を備えており、下側支柱部材２１１、２２１を挿通可能であり、かつ当該ジョイント部材９１を上下に摺動させて任意の高さ位置においてネジ部材９２によって下側支柱部材２２１に固定することが可能となされている。
【００４１】
この点、上述したとおり、棚パイプ部材３２、横桟部材４１、横桟部材４２、第一の物掛け杆５２及び第二の物掛け杆５３はいずれも伸縮自在となされており、また筋交い杆９も斜めの角度を変えて支柱部材２２に固定することが可能となっているので、左右の縦支柱２、２間の間隔を任意に広げたり狭めたりすることができる。それゆえ、収納ラック１を設置するスペースの幅に合わせて、収納ラック１の幅寸法を調節することが可能である。この点につき更に付言すれば、棚部材７は横桟部材４１、４２上に載置するだけなので、収納ラック１の幅寸法を変更しても（その幅寸法に関係なく）、同一の棚部材７を利用することができる。
【００４２】
以上のとおり、具体的な実施形態を示して本発明に係る収納ラック１を説明してきたが、本発明は上述の実施形態に限られるものではなく、本発明の趣旨を逸脱しない範囲で様々に形態等を変更することが可能なものである。すなわち、今回開示した実施形態は、すべての点で例示であって、限定的な解釈の根拠となるものではない。したがって、本発明の技術的範囲は、上述した実施形態のみによって解釈されるものではなく、特許請求の範囲の記載に基づいて画定され、また、特許請求の範囲と均等の意味および範囲内でのすべての変更が含まれるものである。
【符号の説明】
【００４３】
１      収納ラック
２      縦支柱
２１    前側の支柱部材
２２    後側の支柱部材
２３    前脚部
３      上段の収納棚部
４      下段の収納棚部
４１    前側の横桟部材
４２    後側の横桟部材
４３    可動ジョイント部材
５      物掛け部
６      中間連結具
７      棚部材
７１    載置棚部
７２    周縁壁部
７３    滑動規制片
７５    抜け止め手段（抜け止め部）
Ｗ      洗濯機
【図１】
2013188403.tif 000003
【図２】
2013188403.tif 000004
【図３】
2013188403.tif 000005
【図４】
2013188403.tif 000006
【図５】
2013188403.tif 000007
【図６】
2013188403.tif 000008
【図７】
2013188403.tif 000009
【図８】
2013188403.tif 000010
【図９】
2013188403.tif 000011
【図１０】
2013188403.tif 000012
【図１１】
2013188403.tif 000013